(57)【要約】  【目的】連続した音楽の途中でトラック（曲）を切り替えている場合の再生を時間隙間なく連続再生するデジタルオーディオ信号録音再生装置を提供する。  【構成】デジタルオーディオ信号録音再生装置１０は、中央演算処理手段のＣＰＵ１が、録音再生手段によるデジタル記録媒体５への録音時において、ファイル情報としてファイル先頭に無音部分があるか否かの連続再生情報Ａをファイル情報エリアに記録する処理を行い、再生時において、次に再生するファイルがデジタル記録媒体５に録音した順番通りのファイルであるか否かを判定し、順番通りの場合にのみ次に再生するファイルの上記連続再生情報Ａを先行して読み出し、連続再生するファイルと判定した場合は前のファイルの再生データを再生用バッファメモリ８に送り終わった後、ファイルクローズ処理を優先させずに次のファイルのデータを続けて送り込むようにして、続けて次のファイルを再生する構成。【選択図】  図２
2005216382.tif 000002
【特許請求の範囲】
【請求項１】
コンパクトディスクプレーヤでファイル単位に再生されたデジタルオーディオデータをデジタル記録媒体に録音し再生する録音再生手段を備えるデジタルオーディオ信号録音再生装置において、
前記録音再生手段を制御する中央演算処理手段を設け、前記中央演算処理手段は、前記録音再生手段による前記デジタル記録媒体へのファイル単位の録音時において、録音している当該ファイルのファイル情報として当該ファイル先頭に無音部分があるか否かの連続再生情報を前記デジタル記録媒体のファイル情報エリアに記録する処理を前記録音再生手段に行わせ、
前記録音再生手段による前記デジタル記録媒体上のファイルの再生時において、或るファイルの再生中に次に再生するファイルが前記デジタル記録媒体への録音時の順番通りのファイルであるか否かを判定し、前記順番通りと判定した場合にのみ次に再生するファイルの上記連続再生情報を先行して前記録音再生手段に読み出させ、その読み出された連続再生情報により連続再生するファイルと判定した場合は、前のファイルの再生データが再生用バッファメモリに送られた後、前のファイルのファイルクローズ処理を優先させずに次のファイルのデータを続けて前記再生用バッファメモリに送り込むようにさせて、時間間隔を空けずに続けて次のファイルを再生する連続再生処理を前記録音再生手段に行わせることを特徴とするデジタルオーディオ信号録音再生装置。
【発明の詳細な説明】
【技術分野】
【０００１】
本発明は、ファイル単位に記録されたコンパクトディスク（ＣＤ）のデジタルオーディオ信号データを記録したハードディスクドライブ（ＨＤＤ）やメモリカード等のデジタル記録媒体に対する楽曲等のファイルのデータの読み出しを行うデジタルオーディオ信号録音再生装置に関する。
【背景技術】
【０００２】
近年、パーソナルコンピュータの普及に合わせ、不揮発性一括消去型メモリ装置（フラッシュＥＰＲＯＭ）のメモリーカードやハードディスクドライブ（ＨＤＤ）に音楽データを録音・再生するオーディオ機器が普及してきている。その中には、ＣＤプレーヤを内蔵し、再生したＣＤの楽曲等のデジタルオーディオ信号データを前記メモリーカードやＨＤＤのデジタル記録媒体に録音する機能を有したデジタルオーディオ信号録音再生装置がある。
【０００３】
録音は私的録音の範囲でのみ許されており、無制限にコピーを繰り返すことができないように、ＳＣＭＳ（シリアル・コピー・マネージメント・システム）等の著作権保護機構が通常組み込まれている。図４にこのようなデジタルオーディオ信号録音再生装置のブロック回路図の一例を示す。
【０００４】
図４のデジタルオーディオ信号録音再生装置１０において、ＣＤからＨＤＤ或いはメモリカードのデジタル記録媒体５への録音は以下の手順で行われる。
【０００５】
中央演算処理手段（ＣＰＵ）１が録音再生手段によるＣＤプレーヤ２を制御して、目的の曲ファイル（トラック）の再生を開始させる。同時に、ＡＤＣ（ＡＤコンバータ）３によりデジタル信号に変換されたＣＤプレーヤ２のオーディオデータが、録音バッファメモリ４に蓄積され始める。ＣＰＵ１は前記録音バッファメモリ４に蓄積され始めたオーディオデータをＨＤＤやメモリカードのデジタル記録媒体５に転送して記録する。１曲を再生し終わったことがＣＤプレーヤ２からＣＰＵ１に通知され、ＣＰＵ１はその時点までに録音バッファメモリ４に蓄積されているデータをデジタル記録媒体５に転送し終わると、その曲ファイルをクローズして録音を終了する。
【０００６】
上記録音バッファメモリ４からデジタル記録媒体５ヘの転送はまとまったデータ単位（セクタ単位、１セクタ＝５１２バイト）で間欠的に行われるが、転送速度がＡＤＣ３から生成されるデータ転送レートより高くなるように設計してあり、録音用バッファメモリ４が一杯になってデータが溢れないようにしている。録音バッファメモリ４はＦＩＦＯとなっており、ＡＤＣ３より送られた順に、ＣＰＵ１により読み出される。このため、前記デジタル記録媒体５に録音された曲の順番は録音時の順番通りとなってデータ順序が保たれる。
【０００７】
なお、録音はＡＤＣ３を通したアナログ録音のみでなく、ＣＤプレーヤ２のデジタルオーディオ出力（ＤＩＴ）をデジタルオーディオ入力（ＤＩＲ）で受けて、ダイレクトにデジタル録音とすることもできる。
【０００８】
次に、再生は以下の手順で行われる。
【０００９】
ＣＤプレーヤ２を再生する場合は、セレクタ６でＣＤプレーヤ２の出力を選択し、ＣＤプレーヤ２を再生状態に制御して再生を行う。一方、デジタル記録媒体５に記録されている曲を再生する場合は、セレクタ６はＤＡコンバータ７のＤＡＣ出力を選択する。その上で、ＣＰＵ１が曲データファイルをオープンし、ＨＤＤやメモリカードのデジタル記録媒体５からオーディオデータを再生用バッファメモリ８に転送する。前記再生用バッファメモリ８は録音用と同じくＦＩＦＯとなっており、転送された順にＤＡＣ７から読み出されて、オーディオ信号としてセレクタ６へ送られてオーディオ信号増幅回路９で増幅されてスピーカＳＰから出力される。ここで、デジタル記録媒体５から再生用バッファメモリ８ヘの転送は間欠的に行われるが、転送速度が再生用バッファメモリ８からＤＡＣ７ヘデータが読み出されるレートよりも高いレートに設計してあり、再生中に、再生用バッファメモリ８が空になり音が途切れることがないようになっている。
【００１０】
以上のようなデジタルオーディオ信号録音再生装置１０では、通常、１曲単位でファイルを構成して録音するようになっている。このため、録音するべきソースがｌ曲（トラック）単位で明確に分離している場合は何ら問題はない。
【００１１】
しかしながら、一部のＣＤでは、連続した音もしくは音楽の途中でトラック（曲）を切り替えているものがあり、この場合、本来は連続して再生されるべき意図のものが、前記デジタル記録媒体５に録音した結果、２つの曲に分かれてしまうことになる。図５の従来システムの再生処理タイミングのタイムチャートに示されるように、従来のシステムでは、再生時に１曲（ファイル）単位にオープンして再生し、再生が終わるとそのファイルをクローズして、次の曲（ファイル）をオープンして再生するようになっている。そのため、上記のような複数のファイルに跨がって連続する曲では、録音したものを再生すると、曲の間に無音部分が入ってしまうことになる。
【００１２】
図６の（ａ）は曲の間を空けて録音されたＣＤの記録形式、（ｂ）は曲の間を空けずに録音されたＣＤの記録形式を示す図である。
【００１３】
前記ＣＤプレーヤ２は基本的に、順にデータを再生するようにしているため、曲間がある場合は曲間に挿入されている無音部分のデータが再生されることにより、曲が分かれているように再生される。曲間を挿入しない場合はこの無音部分が省略される。このように無音部分がなく曲（トラック）番号を変えるＣＤは、コンサートなどのライブ演奏を収録したものや制作者が意図的に効果を狙ったものなどがある。
【００１４】
また、上記と似た問題として、ＣＤを再生したときには生じる曲間の無音部分が、ＨＤＤやメモリカードに記録した場合には生じなくなるという問題もある。これは、通常、ＨＤＤやメモリカードには、その曲（トラックナンバーＴＮＯ）のＩＮＤＥＸ００以外の部分（有効な有音部分）のみを録音するためである。曲の先頭にＩＮＤＥＸ００の無音部分を録音してしまうと、その曲を指定して再生したときに音が出始めるのに時間がかかってしまうからである。
【００１５】
これを解決するため、従来、次の曲の無音部分（ＩＮＤＥＸ００）を前の曲の曲尾に含めて録音してしまう手法が採られている。この方法を使うと、連続して再生したときは無音部分が再生されるために曲間が空き、曲を指定して再生開始したときにはすぐに音が出るようになっている。
【００１６】
なお、下記［特許文献１］には、複数種類のデータ群を途切れることなく連続的に再生するデータ再生装置及びカラオケ装置の技術が記載されている。
【００１７】
また、下記［特許文献２］には、メディア上で離れた領域に記録されたビデオを連続して再生することを可能にし、編集作業を効率化・容易化する動画像及び音声記録再生装置の技術が記載されている。
【００１８】
【特許文献１】特開平４−３６４６８４号公報
【００１９】
【特許文献２】特開平７−３０２４６８号公報
【発明の開示】
【発明が解決しようとする課題】
【００２０】
連続した音もしくは音楽の途中でトラック（曲）を切り替えているオーディオデータが記録されたＣＤを再生してＨＤＤやメモリカードのデジタル記録媒体に記録し、これを再生する場合、無音部分が再生されて２つの曲に分かれてしまうことを回避できるように再生できるデジタルオーディオ信号記録再生装置の実現が望まれる。なお、上記［特許文献１］、［特許文献２］の技術は本発明の意図するＣＤからデジタル記録媒体に録音されたファイルの連続再生の判定に係る技術について開示するものは皆無である。
【課題を解決するための手段】
【００２１】
本発明は、上記課題を達成するために、前記録音再生手段を制御する中央演算処理手段１を設け、前記中央演算処理手段１は、前記録音再生手段１による前記デジタル記録媒体５へのファイル単位の録音時において、録音している当該ファイルのファイル情報として当該ファイル先頭に無音部分があるか否かの連続再生情報Ａを前記デジタル記録媒体５のファイル情報エリアに記録する処理を前記録音再生手段に行わせ、前記録音再生手段による前記デジタル記録媒体５上のファイルの再生時において、或るファイルの再生中に次に再生するファイルが前記デジタル記録媒体５への録音時の順番通りのファイルであるか否かを判定し、前記順番通りと判定した場合にのみ次に再生するファイルの上記連続再生情報Ａを先行して前記録音再生手段に読み出させ、その読み出された連続再生情報Ａにより連続再生するファイルと判定した場合は、前のファイルの再生データが再生用バッファメモリ８に送られた後、前のファイルのファイルクローズ処理を優先させずに次のファイルのデータを続けて前記再生用バッファメモリ８に送り込むようにさせて、時間間隔を空けずに続けて次のファイルを再生する連続再生処理を前記録音再生手段に行わせることを特徴とするデジタルオーディオ信号録音再生装置１０を提供する。
【発明の効果】
【００２２】
本発明に係るデジタルオーディオ信号録音再生装置は、上記のように構成されているため、ＨＤＤやメモリカード等のデジタル記録媒体ヘファイル単位に分けて録音された楽曲等のオーディオデータを、ファイル間に時間間隔を空けずに続けて再生すべきか否かの判断をしてその通りに再生することができる。これにより、便宜上、複数のファイルに分けてあるが、本来は連続して再生すベきオーディオデータ（コンサートや講演の収録、制作者が連続再生することの効果を狙って制作したもの等）を、連続して隙間（無音部分）無く再生することができるという効果を有する。
【００２３】
また、デジタル記録媒体へ記録したオーディオデータのオリジナル順番通りの順序再生でない所謂スキップ再生を行う場合には、連続再生処理は行わず、通常通りファイル毎に時間間隔を空けて再生されるので違和感はない。
【発明を実施するための最良の形態】
【００２４】
本発明に係るデジタルオーディオ信号録音再生装置のブロック回路構成は図４に示されるような従来のデジタルオーディオ信号録音再生装置の構成がそのまま利用可能であり、デジタル記録媒体に対する録音再生手段を動作させる中央演算処理手段（ＣＰＵ）のソフトウェアによる制御方法の変更により実現される。以下、図４のデジタルオーディオ信号録音再生装置１０のブロック回路図を基に録音されたＣＤのファイル単位（トラック単位）のデジタルオーディオデータが楽曲（曲）である場合について説明する。
【００２５】
図１は本発明に係るデジタルオーディオ信号録音再生装置の中央演算処理手段が制御する録音再生手段のＣＤからデジタル記録媒体への録音時の連続再生処理に関するフローチャートであり、図２は再生時の連続再生処理に関するフローチャートである。
【００２６】
本発明に係るデジタルオーディオ信号録音再生装置１０では、録音再生手段を制御する中央演算処理手段（ＣＰＵ）１が、録音再生手段によるデジタル記録媒体５へのファイル単位の録音時において、録音している当該ファイルのファイル情報として当該ファイル先頭に無音部分があるか否かの連続再生情報Ａを前記デジタル記録媒体５のファイル情報エリアに記録する処理を前記録音再生手段に行わせ、前記録音再生手段による前記デジタル記録媒体５上のファイルの再生時において、或るファイルの再生中に次に再生するファイルが前記デジタル記録媒体５への録音時の順番通りのファイルであるか否かを判定し、前記順番通りと判定した場合にのみ次に再生するファイルの上記連続再生情報Ａを先行して前記録音再生手段に読み出させ、その読み出された連続再生情報Ａにより連続再生するファイルと判定した場合は、前のファイルの再生データが再生用バッファメモリ８に送られた後、前のファイルのファイルクローズ処理を優先させずに次のファイルのデータを続けて前記再生用バッファメモリ８に送り込むようにさせて、時間間隔を空けずに続けて次のファイルを再生する連続再生処理を前記録音再生手段に行わせる点に特徴を有する。
【００２７】
即ち、前記デジタル記録媒体５への録音時にファイル情報として、連続して再生するべき曲かどうかの連続再生情報Ａを、曲の時間情報やタイトル情報と共に記録する。そして、デジタル記録媒体５の再生時に、前の曲を再生中に、次に再生する曲の前記連続再生情報Ａを読み出して連続して再生する曲の場合は、前の曲の再生データを再生用バッファメモリ８に送り終わった後、続けて次の曲のデータをバッファに送り込むようにして隙間を空けずに再生するのである。
【００２８】
例えば、ＣＤからのデジタル記録媒体５への録音時に、ＣＤプレーヤ２より録音する曲の曲頭にＩＮＤＥＸ００部分が存在するかしないかの情報を得て連続演奏フラグを無し又は有りとし、当該曲データの録音終了後のファイルのクローズ時の曲のヘッダー情報を記録する際に、前記連続演奏フラグを含めてファイル情報として記録する。この連続演奏フラグの有無（ＩＮＤＥＸ００の無し又は有り）が連続演奏すべきか否かの判定条件となる。連続演奏フラグの有る場合が連続演奏となり、連続演奏フラグが無い（ＩＮＤＥＸ００が有る）場合が通常演奏となる。
【００２９】
上記曲ヘッダー情報の一例を図３に示す。連続再生情報Ａとして、ＩＮＤＥＸ００の有無の情報（下線が引かれた部分）が記録されている。
【００３０】
本発明に係る連続演奏処理は、ＨＤＤやメモリカードのデジタル記録媒体５に記録された或る曲（ファイル）の再生中で、続けて次に記録されている曲（ファイル）を再生する場合に有効に機能する。
【００３１】
なお、連続演奏の有無はＣＤからの録音に限らず、ユーザがマイク等で録音したソースでも指定が可能である。例えば、長い講演を録音し、いくつかのパートに分ける場合にも便利である。パートを分けても連続して再生されるため、不自然な途切れが発生しなくなる。
【００３２】
また、上記連続演奏処理中は、前曲と次曲の２つのファイルが同時にオープンされるが、これはファイル処理においては、通常行われている内容で何ら問題とはならない。
【００３３】
ところで、上記連続演奏（再生）するか否かの判定において、スキップ再生等のデジタル記録媒体５に記録されたオリジナル順番通りに再生せずスキップして再生する場合は、前の曲と時間間隔を置かずに連続して再生することが適当でなくなる。
【００３４】
このため、本発明における連続演奏処理フローにおいては、図２に示されるように再生制御を行うＣＰＵ１が順序再生なのかスキップ再生なのかの判定を連続演奏するか否かの判定の前に判定する条件を付加し、ユーザーが順番通りに再生しないスキップ再生等をする場合には連続演奏処理を行わないようにしている。
【００３５】
以上により、本発明に係る連続演奏処理は適正に機能して別ファイルとしてＣＤからデジタル記録媒体５に記録されたデジタルオーディオ信号データが連続演奏すべき場合には時間間隔を置かずに連続して演奏されることになる。
【００３６】
念のために付言すれば、本発明に係る連続演奏処理の制御を行う中央演算処理手段（ＣＰＵ１）を動作させるためにインストアされる新規な制御プログラムは、別途、デジタル記録媒体５から読み取られてデジタルオーディオ信号録音再生装置１０のＲＯＭに取り込まれてもよいし、通信ネットワークを介して伝送されて取り込まれてもよい。
【図面の簡単な説明】
【００３７】
【図１】本発明に係るデジタルオーディオ信号録音再生装置の中央演算処理手段が制御する録音再生手段のＣＤからデジタル記録媒体への録音時の連続再生処理に関するフローチャートである。
【図２】本発明に係るデジタルオーディオ信号録音再生装置の中央処理手段が制御するデジタル記録媒体の再生時の連続再生処理に関するフローチャートである。
【図３】本発明に係る曲ヘッダー情報の一例を示す図である。
【図４】デジタルオーディオ録音再生装置のブロック回路図である。
【図５】従来のデジタルオーディオ信号録音再生装置の再生処理タイミングのタイムチャートである。
【図６】（ａ）は曲の間を空けて録音されたＣＤの記録形式、（ｂ）は曲の間を空けずに録音されたＣＤの記録形式を示す図である。
【符号の説明】
【００３８】
１    中央演算処理手段（ＣＰＵ）
２    ＣＤプレーヤ
３    ＡＤコンバータ（ＡＤＣ）
４    録音用バッファメモリ
５    デジタル記録媒体（ＨＤＤ又はメモリカード）
６    セレクタ
７    ＤＡコンバータ（ＤＡＣ）
８    再生用バッファメモリ
９    オーディオ信号増幅回路
１０    デジタルオーディオ信号録音再生装置
Ａ    連続再生情報
【図１】
2005216382.tif 000003
【図２】
2005216382.tif 000004
【図３】
2005216382.tif 000005
【図４】
2005216382.tif 000006
【図５】
2005216382.tif 000007
【図６】
2005216382.tif 000008